(57)【要約】【課題】印刷装置の印刷設定を受け付けるダイアログボックスが多数のページを有し、各ページに多数の設定項目が設けられている場合に、各設定項目による設定状態の確認及び設定の変更等を容易に行うことができる設定受付方法及びコンピュータプログラムを提供する。【解決手段】複数のタブページを有する印刷設定ダイアログボックス１００に、各タブページに共通の表示を行う共通表示領域５０を設ける。共通表示領域５０の一覧表示部５１には、印刷設定ダイアログボックス１００にて設定可能な多数の設定項目からユーザの設定更新頻度に応じて選択された設定項目の設定状態を一覧表示する。一覧表示部５１に表示した各設定状態は、ユーザにより選択可能にしてあり、一の設定状態が選択された場合には、選択された設定状態に係る設定項目が設けられたタブページを自動的に切り替えて表示する。設定状態を表示する設定項目をユーザが選択する構成としてもよい。【選択図】図３
2008234000.tif 000002
【特許請求の範囲】
【請求項１】
印刷装置に係る一又は複数の設定項目がそれぞれ設けられた複数のページ及び該複数のページの表示を切り替える切替手段を有するダイアログボックスを表示し、該ダイアログボックスの設定項目に対する設定を受け付ける設定受付方法において、
前記複数のページに共通して設けられた共通表示領域を有する前記ダイアログボックスを表示し、
前記設定項目に係る設定の受付頻度をそれぞれ算出し、
前記複数のページに設けられた複数の設定項目から一又は複数の設定項目を前記受付頻度に応じて選択し、
選択した設定項目の設定状態を前記共通表示領域に表示し、
前記共通表示領域に表示された設定状態への選択を受け付け、
選択を受け付けた設定状態に係る設定項目が設けられたページを表示すること
を特徴とする設定受付方法。
【請求項２】
印刷装置に係る一又は複数の設定項目がそれぞれ設けられた複数のページ及び該複数のページの表示を切り替える切替手段を有するダイアログボックスを表示し、該ダイアログボックスの設定項目に対する設定を受け付ける設定受付方法において、
前記複数のページに共通して設けられた共通表示領域を有する前記ダイアログボックスを表示し、
前記複数のページに設けられた複数の設定項目からの一又は複数の設定項目の選択を受け付け、
受け付けた選択に係る設定項目の設定状態を前記共通表示領域に表示し、
前記共通表示領域に表示された設定状態への選択を受け付け、
選択を受け付けた設定状態に係る設定項目が設けられたページを表示すること
を特徴とする設定受付方法。
【請求項３】
コンピュータに、
印刷装置に係る一又は複数の設定項目がそれぞれ設けられた複数のページ及び該複数のページの表示を切り替える切替手段を有するダイアログボックスを表示させ、該ダイアログボックスの設定項目に対する設定を受け付けさせ、受け付けた設定に応じて前記印刷装置に印刷を行わせるコンピュータプログラムにおいて、
コンピュータに、
前記複数のページに共通して設けられた共通表示領域を有する前記ダイアログボックスを表示させ、
前記設定項目に係る設定の受付頻度をそれぞれ算出させ、
前記複数のページに設けられた複数の設定項目から一又は複数の設定項目を前記受付頻度に応じて選択させ、
選択した設定項目の設定状態を前記共通表示領域に表示させ、
前記共通表示領域に表示された設定状態への選択を受け付けさせ、
選択を受け付けた設定状態に係る設定項目が設けられたページを表示させること
を特徴とするコンピュータプログラム。
【請求項４】
コンピュータに、
印刷装置に係る一又は複数の設定項目がそれぞれ設けられた複数のページ及び該複数のページの表示を切り替える切替手段を有するダイアログボックスを表示させ、該ダイアログボックスの設定項目に対する設定を受け付けさせ、受け付けた設定に応じて前記印刷装置に印刷を行わせるコンピュータプログラムにおいて、
コンピュータに、
前記複数のページに共通して設けられた共通表示領域を有する前記ダイアログボックスを表示させ、
前記複数のページに設けられた複数の設定項目からの一又は複数の設定項目の選択を受け付けさせ、
受け付けた選択に係る設定項目の設定状態を前記共通表示領域に表示させ、
前記共通表示領域に表示された設定状態への選択を受け付けさせ、
選択を受け付けた設定状態に係る設定項目が設けられたページを表示させること
を特徴とするコンピュータプログラム。
【請求項５】
コンピュータに、
前記ページに設けられた選択項目のドラッグ操作を受け付けさせ、
該選択項目の前記共通表示領域へのドロップ操作を受け付けさせ、
前記ドラッグ操作及びドロップ操作により、前記共通表示領域に設定状態を表示させる選択項目の選択を受け付けさせること
を特徴とする請求項４に記載のコンピュータプログラム。
【請求項６】
選択を受け付けた設定状態に係る設定項目が設けられたページを表示させると共に、前記設定項目を強調表示させること
を特徴とする請求項３乃至請求項５の何れか１つに記載のコンピュータプログラム。
【発明の詳細な説明】
【技術分野】
【０００１】
本発明は、プリンタ又はデジタル複合機等の印刷装置に係る設定を受け付ける設定受付方法及びプリンタドライバなどのコンピュータプログラムに関する。
【背景技術】
【０００２】
従来、ＰＣ（パーソナルコンピュータ）などで作成された文章又は画像等による原稿を印刷用紙に印刷する印刷装置が広く普及している。また、近年では、印刷機能の他にファクシミリ機能、スキャナ機能及びコピー機能等の多数の機能を備える印刷装置、所謂デジタル複合機も普及している。これらの印刷装置は、ＬＡＮなどのネットワーク又は印刷装置用の専用ケーブル等を介してＰＣに接続される。ＰＣにて動作するワープロ又は表計算等のアプリケーションプログラムにて作成された原稿に係るデータは印刷装置に与えられ、印刷装置にて印刷用紙に原稿の印刷を行う。このとき、ＰＣ上のアプリケーションプログラムと印刷装置との間のデータの授受は、印刷装置を制御するためのコンピュータプログラム、所謂プリンタドライバを介して行われる。プリンタドライバは、アプリケーションプログラムから原稿に係るデータが与えられる。原稿に係るデータを与えられたプリンタドライバは、このデータを印刷装置が印刷を行うためのデータ形式に変換して印刷装置へ与える。
【０００３】
印刷装置にて印刷を行う際には、印刷用紙のサイズ、印刷用紙の向き、集約印刷又は両面印刷等の印刷条件を設定して多種多様な原稿の印刷を行うことができる。プリンタドライバはユーザによる印刷条件の設定を受け付けて、設定に応じたデータを印刷装置へ与えると共に、設定に応じた印刷装置の制御を行う。ユーザがＰＣからこれらの設定を行う場合、ＰＣの画面に設定用のダイアログボックスを表示し、このダイアログボックスに設けられた設定項目を選択操作して行うことができる。
【０００４】
特許文献１においては、ダイアログボックスに設けられたリスト領域に表示された項目情報が選択された場合に、この項目の設定を行うためのコントロールが設けられたタブページを前面に表示する情報処理装置が提案されている。この情報処理装置では、無駄な操作をすることなくユーザが情報設定を行うことができるという利点がある。
【０００５】
特許文献２においては、印刷設定画面を表示する際に、印刷装置の全体又は一部の三次元画像を表示するプリンタドライバプログラムが提案されている。このプリンタドライバプログラムは、三次元画像と共に、既に設定されている印刷装置の各部における印刷設定情報を収集して、収拾した印刷情報を表すアニメーション動画を表示する。これにより、印刷装置の印刷設定項目をユーザが容易に視覚的に確認することができるという利点がある。
【特許文献１】特開２００１−３４４０５１号公報
【特許文献２】特開２００４−２３０８３６号公報
【発明の開示】
【発明が解決しようとする課題】
【０００６】
近年の印刷装置では、多機能化に伴ってプリンタドライバにより設定可能な設定項目の数も増加している。設定項目の増加から、プリンタドライバにより表示される設定のためのダイアログボックスには、表示を切り替えることが可能な複数のページ、所謂タブページが設けられる。各タブページには、多数の設定項目が機能毎にまとめられて分散して配置されることが多い。ユーザは設定の変更を行う場合に、ダイアログボックスのタブページを切り替えて所望の設定項目を表示させる必要があり、操作が繁雑であるという問題があった。また、ダイアログボックスに多数のタブページが設けられている場合には、多数のタブページを切り替えて所望の設定項目を探し出さなければならない。このため、印刷装置の多機能化に伴って所望の設定項目を探し出すことが困難となり、プリンタドライバの操作性及び利便性等を低下させるという問題があった。これにより、ユーザが印刷装置の機能を十分に利用することができない虞がある。
【０００７】
特許文献１に記載の情報処理装置はこの問題の解決を目的とするものである。例えば、リスト領域に表示された項目情報が選択された場合には、この項目に関するタブページを自動的に前面に表示するようしにしてある。しかしながら、プリンタドライバにて設定可能な全ての項目をリスト領域に表示することはできず、リスト領域に表示可能な項目情報の数は限られている。よって、ユーザが必要とする項目情報が表示されていない場合には、ユーザがタブページを切り替えて設定項目を探し出さなければならない。
【０００８】
特許文献２に記載のプリンタドライバプログラムは、印刷装置の各部の設定情報を視覚的にユーザに示すことができる。しかしながら、設定の変更を容易化するものではなく、上述の問題を解決することはできない。
【０００９】
本発明は、斯かる事情に鑑みてなされたものであって、その目的とするところは、ユーザの使用頻度が高い設定項目が設けられたタブページを自動的に切り替えて表示し、設定を受け付けることができる設定受付方法及びコンピュータプログラムを提供することにある。このため、設定項目に対する受付頻度を算出し、受付頻度に応じて選択した設定項目の設定状態を共通表示領域に表示すると共に、表示された設定状態への選択を受け付けて、受け付けた設定状態に係る設定項目が設けられたページを表示する構成の設定受付方法及びコンピュータプログラムを提供することを目的とする。
【００１０】
また本発明の他の目的とするところは、ユーザが共通表示領域に表示する項目を選択してカスタマイズすることができ、ユーザが所望する設定項目が設けられたタブページを自動的に切り替えて表示し、設定を受け付けることができる設定受付方法及びコンピュータプログラムを提供することにある。このため、複数の設定項目からの一又は複数の設定項目の選択を受け付けて共通表示領域に表示すると共に、表示された設定状態への選択を受け付けて、受け付けた設定状態に係る設定項目が設けられたページを表示する構成の設定受付方法及びコンピュータプログラムを提供することを目的とする。
【００１１】
また本発明の他の目的とするところは、簡単な操作で表示する項目の選択を行うことができるコンピュータプログラムを提供することにある。このため、ダイアログボックスの各ページに設けられた選択項目をドラッグして共通表示領域へドロップすることで共通表示領域に表示する項目をユーザが選択できる構成の設定受付方法及びコンピュータプログラムを提供することを目的とする。
【００１２】
また本発明の他の目的とするところは、自動的に切替表示されたページ中に多数の設定項目が設けられている場合であっても、ユーザが所望の設定項目に対する操作を容易に行うことができるコンピュータプログラムを提供することにある。このため、共通表示領域に表示された設定状態への選択を受け付けた場合に、選択された設定状態に係る設定項目が設けられたページを表示すると共に、この選択項目を強調表示する構成の設定受付方法及びコンピュータプログラムを提供することを目的とする。
【課題を解決するための手段】
【００１３】
第１発明に係る設定受付方法は、印刷装置に係る一又は複数の設定項目がそれぞれ設けられた複数のページ及び該複数のページの表示を切り替える切替手段を有するダイアログボックスを表示し、該ダイアログボックスの設定項目に対する設定を受け付ける設定受付方法において、前記複数のページに共通して設けられた共通表示領域を有する前記ダイアログボックスを表示し、前記設定項目に係る設定の受付頻度をそれぞれ算出し、前記複数のページに設けられた複数の設定項目から一又は複数の設定項目を前記受付頻度に応じて選択し、選択した設定項目の設定状態を前記共通表示領域に表示し、前記共通表示領域に表示された設定状態への選択を受け付け、選択を受け付けた設定状態に係る設定項目が設けられたページを表示することを特徴とする。
【００１４】
また、第２発明に係る設定受付方法は、印刷装置に係る一又は複数の設定項目がそれぞれ設けられた複数のページ及び該複数のページの表示を切り替える切替手段を有するダイアログボックスを表示し、該ダイアログボックスの設定項目に対する設定を受け付ける設定受付方法において、前記複数のページに共通して設けられた共通表示領域を有する前記ダイアログボックスを表示し、前記複数のページに設けられた複数の設定項目からの一又は複数の設定項目の選択を受け付け、受け付けた選択に係る設定項目の設定状態を前記共通表示領域に表示し、前記共通表示領域に表示された設定状態への選択を受け付け、選択を受け付けた設定状態に係る設定項目が設けられたページを表示することを特徴とする。
【００１５】
また、第３発明に係るコンピュータプログラムは、コンピュータに、印刷装置に係る一又は複数の設定項目がそれぞれ設けられた複数のページ及び該複数のページの表示を切り替える切替手段を有するダイアログボックスを表示させ、該ダイアログボックスの設定項目に対する設定を受け付けさせ、受け付けた設定に応じて前記印刷装置に印刷を行わせるコンピュータプログラムにおいて、コンピュータに、前記複数のページに共通して設けられた共通表示領域を有する前記ダイアログボックスを表示させ、前記設定項目に係る設定の受付頻度をそれぞれ算出させ、前記複数のページに設けられた複数の設定項目から一又は複数の設定項目を前記受付頻度に応じて選択させ、選択した設定項目の設定状態を前記共通表示領域に表示させ、前記共通表示領域に表示された設定状態への選択を受け付けさせ、選択を受け付けた設定状態に係る設定項目が設けられたページを表示させることを特徴とする。
【００１６】
また、第４発明に係るコンピュータプログラムは、コンピュータに、印刷装置に係る一又は複数の設定項目がそれぞれ設けられた複数のページ及び該複数のページの表示を切り替える切替手段を有するダイアログボックスを表示させ、該ダイアログボックスの設定項目に対する設定を受け付けさせ、受け付けた設定に応じて前記印刷装置に印刷を行わせるコンピュータプログラムにおいて、コンピュータに、前記複数のページに共通して設けられた共通表示領域を有する前記ダイアログボックスを表示させ、前記複数のページに設けられた複数の設定項目からの一又は複数の設定項目の選択を受け付けさせ、受け付けた選択に係る設定項目の設定状態を前記共通表示領域に表示させ、前記共通表示領域に表示された設定状態への選択を受け付けさせ、選択を受け付けた設定状態に係る設定項目が設けられたページを表示させることを特徴とする。
【００１７】
また、第５発明に係るコンピュータプログラムは、コンピュータに、前記ページに設けられた選択項目のドラッグ操作を受け付けさせ、該選択項目の前記共通表示領域へのドロップ操作を受け付けさせ、前記ドラッグ操作及びドロップ操作により、前記共通表示領域に設定状態を表示させる選択項目の選択を受け付けさせることを特徴とする。
【００１８】
また、第６発明に係るコンピュータプログラムは、選択を受け付けた設定状態に係る設定項目が設けられたページを表示させると共に、前記設定項目を強調表示させることを特徴とする。
【００１９】
本発明においては、タブページ及びタブなどの複数のページ及び切替手段を有し、設定項目の設定状態を複数のページに共通して表示する共通表示領域を設けたダイアログボックスを表示して、印刷装置に係る設定の受け付けを行う。また、共通表示領域に設定状態を表示する設定項目は、ダイアログボックスに設けられた複数の設定項目のそれぞれについてユーザからの設定の受付頻度を算出し、受け付け頻度に応じて選択する。これにより、ユーザがダイアログボックスを表示して設定の変更を行う可能性が高い設定項目を優先して共通表示領域に表示できる。また、共通表示領域に表示された設定状態をユーザが選択することを可能として、この選択を受け付けた場合に、選択された設定状態に係る設定項目が設けられたページを自動的に切り替えて表示する。これにより、ダイアログボックスに設けられた多数の設定項目から使用頻度が高い設定項目を自動的にページを切り替えて表示し、ユーザに設定を行わせることができる。
【００２０】
また、本発明においては、複数のページ及び切替手段を有し、設定項目の設定状態を複数のページに共通して表示する共通表示領域を設けたダイアログボックスを表示して、印刷装置に係る設定の受け付けを行う。また、ダイアログボックスが有する複数の選択項目から一又は複数の設定項目の選択をユーザから受け付けて、選択された設定項目の設定状態を共通表示領域に表示する。これにより、ユーザが自らの判断で、使用頻度が高い選択項目又は好みの選択項目等の設定状態が共通表示領域に表示されるようにダイアログボックスの表示をカスタマイズすることができる。また、共通表示領域に表示された設定状態をユーザが選択することを可能として、この選択を受け付けた場合に、選択された設定状態に係る設定項目が設けられたページを自動的に切り替えて表示する。これにより、ユーザが選択した設定項目が設けられたページを自動的に切り替えて表示し、設定を行わせることができる。
【００２１】
また、本発明においては、ユーザが共通表示領域に設定状態を表示する設定項目を選択する場合、各ページに設けられた選択項目をマウスなどを操作することによってドラック操作し、共通表示領域へドロップ操作する一連の操作により選択を行うことができる構成とする。ドラッグ＆ドロップ操作のみの簡単な操作で共通表示領域へ設定状態を表示する選択項目を追加することができる。また、同様にして、共通表示領域に表示された設定状態をドラッグし、共通表示領域外へドロップする操作により、共通表示領域から設定状態を表示する選択項目の削除を行う構成とすることもできる。
【００２２】
また、本発明においては、共通表示領域に表示された設定状態がユーザにより選択された場合には、選択された設定状態に係る設定項目が設けられたページに自動的に切り替える。このときに、選択された設定項目を点滅させる、色を変えて表示する又は太字で表示する等の方法により強調表示する。切り替えられたページにはその他の多数の設定項目が設けられている可能性があるが、この場合であっても所望の設定項目を強調表示することによって、ユーザは多数の設定項目の中から所望の設定項目を容易に発見して設定を行うことが可能となる。
【発明の効果】
【００２３】
第１発明及び第３発明による場合は、ダイアログボックスの複数のページに共通して設けられた共通表示領域に、印刷装置の一又は複数の設定項目の設定状態を設定の受付頻度に応じて選択して表示する。また、共通表示領域に表示された設定状態への選択を受け付けて、選択された設定状態に係る設定項目が設けられたページを切り替えて表示する。これらにより、ダイアログボックスに設けられた多数の設定項目から使用頻度が高い設定項目の設定状態をユーザに確実に認識させることができる。また、この設定項目の設定変更をユーザが容易に行うことができる。よって、プリンタドライバなどのコンピュータプログラム等の操作性及び利便性等を向上することができる。
【００２４】
また、第２発明及び第４発明による場合は、ダイアログボックスの複数のページに共通して設けられた共通表示領域に、ユーザの選択に応じた設定項目の設定状態を表示する。また、共通表示領域に表示された設定状態への選択を受け付けて、選択された設定状態に係る設定項目が設けられたページを切り替えて表示する。これにより、ユーザがダイアログボックスをカスタマイズして好みの設定項目の設定状態を容易に確認することができる。また、この設定項目の設定変更をユーザが容易に行うことができる。よって、印刷装置及びコンピュータプログラム等の拡張性及び利便性等を向上することができる。
【００２５】
また、第５発明による場合は、ダイアログボックスの各ページに設けられた選択項目をドラッグ操作し、共通表示領域へドロップ操作する一連の操作により共通表示領域に表示する項目の選択を行う。よって、ドラッグ＆ドロップ操作のみの簡単な操作で選択項目の選択を行うことができるため、選択項目を選択する際の操作性を向上することができる。
【００２６】
また、第６発明による場合は、共通表示領域に表示された設定状態への選択を受け付けた場合に、選択された設定状態に係る設定項目が設けられたページを表示する。更に、この選択項目を強調表示することによって、表示されたページ中に多数の設定項目が設けられている場合であっても、ユーザは多数の設定項目の中から所望の設定項目を容易に発見して設定を行うことができる。よって、選択項目を設定する際の操作性及び利便性等をより向上することができる。
【発明を実施するための最良の形態】
【００２７】
（実施の形態１）
以下、本発明をその実施の形態を示す図面に基づき具体的に説明する。図１は、本発明に係る設定受付方法を適用した印刷システムの構成を示すブロック図である。図において１０はプリンタ又はデジタル複合機等の印刷装置である。印刷装置１０は、印刷機能の他にスキャナ機能、コピー機能又はファクシミリ機能等を備えるものであってよいが、図１にはその他の機能を実現するためのハードウェアについては図示を省略してあり、印刷機能に関するハードウェアを図示してある。また、図において３０はＰＣであり、本実施の形態の印刷システムは、印刷装置１０及びＰＣ３０はＵＳＢ（Universal Serial Bus）ケーブル又はＬＡＮ（Local Area Network）ケーブル等の通信ケーブルにより接続されて、ＰＣ３０から印刷用のデータが印刷装置１０へ与えられて、印刷装置１０がこのデータの印刷を行う構成である。
【００２８】
ＰＣ３０は、ＲＡＭ（Random Access Memory）３２、ハードディスク３３、操作部３４、表示部３５、補助記憶装置３６及び通信部３７と、これらの各部の動作の制御及び各種の演算等を行うＣＰＵ（Central Processing Unit）３１とを備えている。ＲＡＭ３２は、ＣＰＵ３１の演算及び制御等の処理に伴って発生する一時的なデータを記憶するものであり、ＤＲＡＭ又はＳＲＡＭ等のメモリ素子により構成してある。ハードディスク３３は、数百ＧＢ又はそれ以上の容量を有する磁気記憶装置であり、ＰＣ３０を動作させるためのＯＳ（Operation System）３３ａ、ワードプロセッサ又は表計算等のアプリケーション３３ｂ、及び印刷装置１０の制御を行うプリンタドライバ３３ｃ等がインストールされて記憶してある。また、ハードディスク３３には、プリンタドライバ３３ｃが利用する管理テーブル３３ｄ（詳細は後述する）が記憶してある。補助記憶装置３６は、ＣＤ−ＲＯＭドライブ、ＤＶＤ−ＲＯＭドライブ又はメモリスロット等であり、外部の記憶媒体に記憶されたデータ又はプログラム等をハードディスク３３にインストールする場合に用いることができる。ＣＰＵ３１は、ハードディスク３３に記憶された各種のプログラムをＲＡＭ３２に読み出して実行することにより、各種の演算及び各部の制御を行う。
【００２９】
操作部３４は、キーボード及びマウス等の入力装置により構成されるものである。また、操作部３４は、ユーザの操作を受け付けてＣＰＵ３１に操作内容を通知する。これにより、ＣＰＵ３１はユーザの操作に応じた処理を行うことができる。表示部３５は、液晶ディスプレイ又はＣＲＴディスプレイ等の表示装置により構成されるものであり、ユーザへ種々の画像を表示することができる。通信部３７は、ＵＳＢケーブル、パラレルケーブル又はＬＡＮケーブル等の通信ケーブルを接続するための接続ポートを有しており、接続されて通信ケーブルを介して印刷装置１０との間でデータの送受信を行う。
【００３０】
また、印刷装置１０は、ＲＯＭ（Read Only Memory）１２、印刷部１３、通信部１４、ＲＡＭ１５、操作部１６及び表示部１７等と、これらの各部の動作の制御及び各種の演算等を行う制御部１１とを備えている。ＲＯＭ１２は、マスクＲＯＭ又はＥＥＰＲＯＭ（Electronically Erasable and Programmable Read Only Memory）等の不揮発性のメモリ素子で構成してあり、制御部１１の動作に必要な制御プログラム及び各種のデータ等が予め記憶してある。ＲＡＭ１５は、ＤＲＡＭ又はＳＲＡＭ等のメモリ素子により構成してあり、ＰＣ３０から与えられた印刷用の画像データ並びに制御部１１の演算及び制御等の処理に伴って発生するデータ等の一時的な記憶を行うものである。制御部１１は、ＣＰＵ又はＭＰＵ（Micro Processing Unit）等により構成されるものであり、ＲＯＭ１２に記憶された制御プログラムを読み出して実行することによって制御処理及び各種の演算処理を行う。
【００３１】
印刷部１３は、半導体レーザ又はＬＥＤ等の光源、トナーを付着させる感光体、及びトナーを熱又は圧力で印刷媒体へ転写して定着させる定着部等を有し、ＰＣ３０から与えられる画像データに応じて、印刷用紙に画像の印刷を行うものである。通信部１４は、ＵＳＢケーブル、パラレルケーブル又はＬＡＮケーブル等の通信ケーブルを接続するための接続ポートを有しており、接続された通信ケーブルを介してＰＣ３０との間でデータの送受信を行う。
【００３２】
操作部１６は、電源ボタン、排紙ボタン及び設定ボタン等の複数のボタンを有し、ユーザからの操作を受け付けて制御部１１へ操作内容を通知する。表示部１７は、液晶パネルなどにより構成してあり、印刷装置１０の動作状態、ユーザへの操作入力を促すメッセージ又はユーザへの警告メッセージ等を液晶パネルに表示する。なお、操作部１６及び表示部１７を一体化したタッチパネルを用いる構成であってもよい。
【００３３】
ユーザは、ＰＣ３０にてワードプロセッサ又は表計算等のアプリケーション３３ｂを使用して原稿を作成する。作成終了後、ユーザは、アプリケーション３３ｂからプリンタドライバ３３ｃを起動して、又は直接的に作成した原稿をプリンタドライバ３３ｃに与える。これにより、ユーザは印刷装置１０にて原稿の印刷を行うことができる。このときに、印刷装置１０の印刷に係る各種の設定、例えばＡ４、Ａ３若しくはＢ５等の印刷する用紙のサイズ設定、両面印刷を行うか否かの設定、又は集約印刷を行うか否かの設定等は、ユーザがプリンタドライバ３３ｃに印刷設定ダイアログボックスを表示させることにより行うことができる。
【００３４】
図２は、本発明に係るプリンタドライバ３３ｃにより表示される印刷設定ダイアログの一構成例を示す模式図である。ユーザは、ＰＣ３０のアプリケーション３３ｂなどを用いて原稿を作成し、作成した原稿を印刷する。この場合には、ＰＣ３０の操作部３４のマウス又はキーボード等を操作してユーザがＯＳ３３ａ又はアプリケーション３３ｂに指示を与えることにより、プリンタドライバ３３ｃを起動し、図示の印刷設定ダイアログボックス１００をＰＣ３０の表示部３５に表示させて印刷に係る各種の設定を行うことができる。
【００３５】
印刷設定ダイアログボックス１００では、原稿を印刷する印刷用紙に係る設定、集約印刷又は両面印刷等のレイアウトに係る設定、印刷解像度又は印刷濃度等の印刷品質に係る設定、及び、ソート又はステープル止め等の出力方法に係る設定等を行うことができる。これらの各設定を行うための設定項目を集めた複数のタブページが印刷設定ダイアログボックス１００に設けてある。ユーザは、”用紙”タブ１０１、”レイアウト”タブ１０２、”印刷品質”タブ１０３及び”出力”タブ１０４の何れかを操作部３４のマウスなどを用いて選択することによって所望のタブページを表示することができる。図２では、”用紙”タブ１０１を選択して用紙タブページを表示した状態の印刷設定ダイアログボックス１００を図示してある。
【００３６】
また、印刷設定ダイアログボックス１００の下部には、ＯＫボタン１０５、キャンセルボタン１０６及び適用ボタン１０７が左右に並べて設けてある。プリンタドライバ３３ｃは、ＯＫボタン１０５が操作された場合、印刷設定ダイアログボックス１００にて設定された設定内容を記憶して反映させると共に、印刷設定ダイアログボックス１００を閉じる（表示をオフにする）。キャンセルボタン１０６が操作された場合には設定内容を反映させることなく印刷設定ダイアログボックス１００を閉じる。また、適用ボタン１０７が操作された場合には印刷設定ダイアログボックス１００を閉じることなく設定を記憶して反映させる。
【００３７】
印刷設定ダイアログボックス１００の用紙タブページでは、印刷する部数の設定、原稿のサイズに係る設定、拡大／縮小の設定、給紙カセットの選択に係る設定、及び印刷用紙の種類に係る設定等を行うことができる。これらの設定を行うための設定項目はグループボックス１１０〜１５０によりグループ化されてまとめられ、用紙タブページの右側に適宜に並べて表示してある。また、用紙タブページの左側には、印刷設定の現在の設定状態を表示する設定状態表示領域５０が設けてある。
【００３８】
印刷部数の設定に係る設定項目はグループボックス１１０にてグループ化されており、数値入力ボックス１１１が設けてある。数値入力ボックス１１１には１〜９９９の数値を入力することができ、これにより印刷部数を指定することができる。
【００３９】
原稿サイズに係る設定はグループボックス１２０にてグループ化されており、コンボボックス１２１、プッシュボタン１２２及びラジオボタン１２３により構成してある。コンボボックス１２１では、Ａ４、Ａ３又はＢ５等の用紙サイズの一覧から一の原稿のサイズを選択することができる。プッシュボタン１２２は、”不定形設定…”の文字列がラベルとして付してあり、ユーザにより操作された場合には原稿のサイズを任意のサイズに設定するための設定項目を有する別のダイアログボックスを表示する。ラジオボタン１２３は、印刷の向きを設定するためのものであり、たて又はよこの何れかを選択することができる。
【００４０】
拡大／縮小の設定はグループボックス１３０にてグループ化されており、ラジオボタン１３１、コンボボックス１３２、チェックボックス１３３及び数値入力ボックス１３４により構成してある。ラジオボタン１３１は３つのボタンで構成してあり、拡大／縮小を行うか否か及び拡大／縮小の指定方法を選択することができる。具体的には、”指定しない”、”出力用紙サイズを指定する”又は”倍率を指定する”の何れか１つを選択することができ、”指定しない”を選択した場合には拡大／縮小を行わない設定となる。また、”出力用紙サイズを指定する”を選択した場合には、更にコンボボックス１３２により印刷用紙のサイズを指定することができ、チェックボックス１３３をチェックすることによって指定した印刷用紙のサイズに合わせた拡大／縮小を行うことができる。また、”倍率を指定する”を選択した場合には、数値入力ボックス１３４により２５％〜４００％までの拡大／縮小の倍率を直接的に数値で指定することができる。
【００４１】
印刷装置１０の給紙カセットの選択に係る設定はグループボックス１４０にてグループ化されており、コンボボックス１４１が設けてある。コンボボックス１４１では自動選択又は印刷装置１０が有する複数の給紙カセットのいずれかを選択することができるようにしてある。例えば、自動選択が指定された場合には、上述の原稿サイズの設定にて指定された原稿サイズの印刷用紙が収容された給紙カセットが自動的に選択される。個別の給紙カセットが指定された場合には、原稿サイズの設定に関わらず、指定された給紙カセットに収容された印刷用紙に原稿が印刷される。また、用紙の種類に係る設定はグループボックス１５０にてグループ化されており、コンボボックス１５１が設けてある。コンボボックス１５１では普通紙、特殊紙又は再生紙等のいずれかを選択することができる。
【００４２】
設定状態表示領域５０は上下に長い矩形領域として用紙タブページの左側に設けてある。設定状態表示領域５０の上部には、印刷設定ダイアログボックス１００にて設定された項目の現在の設定状態を一覧表示する一覧表示部５１が設けてある。また、プリンタドライバ３３ｃは、設定状態表示領域５０の中央部には、”レイアウト”タブ１０２を選択することで表示されるレイアウトタブページ（図３参照）にて設定することができる集約印刷又は両面印刷等の設定内容を模式的にアイコン５２として表示する。図２の例では、レイアウトに係る設定として、原稿の２ページを１枚の印刷用紙に集約する集約印刷と両面印刷とが設定された状態がアイコン５２にて図示してある。また、設定状態表示領域５０の下部には、印刷装置１０を表象するアイコン５３を表示する。アイコン５３は印刷装置１０の側面視を模式的に描いた画像である。アイコン５３に描かれた印刷装置１０の給紙カセットに相当する部分には、内部に収容された印刷用紙のサイズが表示してある。
【００４３】
なお、設定状態表示領域５０は、用紙タブページのみではなくレイアウトタブページ、印刷品質タブページ及び出力タブページにも同じ内容のものが設けてある。いずれのタブページが表示されている場合であってもユーザが設定状態を確認することができる。また、図示の例では設定状態表示領域５０の一覧表示部５１に原稿のサイズ、拡大／縮小、集約印刷、両面印刷、印刷の解像度、ソート及びシフトに係る設定の７つの状態が表示してあるが、本発明に係るプリンタドライバ３３ｃでは設定状態表示領域５０に表示する設定状態は図示の７つに固定されておらず、プリンタドライバ３３ｃがユーザの設定項目の使用頻度（設定の変更頻度）などに応じて表示を更新する（詳細は後述する）。
【００４４】
また、設定状態表示領域５０の一覧表示部５１に表示された各設定状態は、ＰＣ３０の操作部３４のマウスなどをユーザが操作することによっていずれか１つの設定状態を選択することができる。いずれかの設定状態が選択された場合、プリンタドライバ３３ｃは選択された設定状態を変更することができる設定項目が設けられたタブページを自動的に切り替えて印刷設定ダイアログボックス１００に表示する。図３〜図５は、本発明に係るプリンタドライバ３３ｃが行うタブページの自動切替機能を説明するための模式図である。
【００４５】
例えば、図３は、図２の状態においてユーザが設定状態表示領域５０の一覧表示部５１に表示された集約印刷に係る設定状態を選択した場合である。本実施の形態のプリンタドライバ３３ｃでは、集約印刷に係る設定は印刷設定ダイアログボックス１００のレイアウトタブページにて行うことができる。よって、一覧表示部５１の集約印刷に係る設定状態が選択された場合には、プリンタドライバ３３ｃは自動的にタブページを切り替えてレイアウトタブページを表示する。
【００４６】
印刷設定ダイアログボックス１００のレイアウトタブページでは、集約印刷に係る設定、原稿に共に印刷するスタンプに係る設定、及び両面／小冊子印刷に係る設定等を行うことができる。これらの設定を行うための設定項目は、グループボックス１６０〜１８０によりグループ化されてまとめられ、レイアウトタブページの右側に上下に並べて表示してある。各グループボックス１６０〜１８０内にはコンボボックス、プッシュボタン及びチェックボタン等の種々の設定手段が設けてある。また、レイアウトタブページの左側には、用紙タブページのものと同じ設定状態表示領域５０が設けてある。
【００４７】
設定状態表示領域５０の一の設定状態が選択されたことにより（図３においては、選択された設定状態にハッチングを付してある）タブページの切り替えを行った場合、プリンタドライバ３３ｃは切り替えたタブページ中のこの設定状態に係る設定項目を強調表示する。図３に示す例では、設定状態表示領域５０の集約印刷の設定状態が選択されてレイアウトタブページが表示されている。このとき、レイアウトタブページ中の集約印刷の設定をグループ化するグループボックス１６０、即ち集約印刷に係る設定を行うためのコンボボックス、プッシュボタン及びチェックボタンを囲む矩形枠を他のものより太い線で表示することによって強調表示を行っている。ただし、強調表示の方法は矩形枠の太さを変化させる方法に限らず、例えば矩形枠を点滅表示する、又は矩形枠の色を変化する等の他の方法で行ってもよく、また、矩形枠ではなく文字の太さを変化するなどの方法で行ってもよい。更に、選択された設定状態を変更できる選択項目に自動的に入力フォーカスをセットしてもよい。
【００４８】
また、例えば、図４は、図３の状態においてユーザが設定状態表示領域５０の一覧表示部５１に表示された解像度に係る設定状態を選択した場合である。本実施の形態のプリンタドライバ３３ｃでは、解像度に係る設定は印刷設定ダイアログボックス１０の印刷品質タブページにて行うことができる。よって、一覧表示部５１の解像度に係る設定状態が選択された場合には、プリンタドライバ３３ｃは自動的にタブページを切り替えて印刷品質タブページを表示する。
【００４９】
印刷設定ダイアログボックス１００の印刷品質タブページでは、トナーセーブを行うか否かの設定、印刷の解像度に係る設定、及び印刷濃度に係る設定等を行うことができる。これらの設定を行うための設定項目は、グループボックス１９０〜２１０によりグループ化されてまとめられ、印刷品質タブページの右側に上下に並べて表示してある。各グループボックス１９０〜２１０内にはラジオボタン、コンボボックス及びトラックバー等の種々の設定手段が設けてある。また、印刷品質タブページの左側には、用紙タブページ及びレイアウトタブページのものと同じ設定状態表示領域５０が設けてある。
【００５０】
設定状態表示領域５０の一覧表示部５１に表示された解像度に係る設定状態が選択されたことにより、タブページを自動的に切り替えて印刷設定ダイアログボックス１００に印刷品質タブページを表示した場合、プリンタドライバ３３ｃは解像度に係る設定をグループ化するグループボックス２００の矩形枠を太い線で表示することによって強調表示を行っている。
【００５１】
また、例えば、図５は、図４の状態においてユーザが設定状態表示領域５０の一覧表示部５１に表示されたシフト出力に係る設定状態を選択した場合である。本実施の形態のプリンタドライバ３３ｃでは、シフト出力に係る設定は印刷設定ダイアログボックス１００の出力タブページにて行うことができる。よって、一覧表示部５１のシフト出力に係る設定状態が選択された場合には、プリンタドライバ３３ｃは自動的にタブページを切り替えて出力タブページを表示する。
【００５２】
印刷設定ダイアログボックス１００の出力タブページでは、ソート出力を行うか否かの設定、シフト出力を行うか否かの設定、排出トレイの選択に係る設定、出力した原稿のステープル止めに係る設定、及び出力した原稿のパンチ穴開けに係る設定等を行うことができる。これらの設定を行うための設定項目は、グループボックス２２０〜２６０によりグループ化されてまとめられ、出力タブページの右側に上下に並べて表示してある。各グループボックス２２０〜２６０内にはラジオボタン、コンボボックス及びプッシュボタン等の種々の設定手段が設けてある。また、出力タブページの左側には、用紙タブページ、レイアウトタブページ及び印刷品質タブページのものと同じ設定状態表示領域５０が設けてある。
【００５３】
設定状態表示領域５０の一覧表示部５１に表示されたシフト出力に係る設定状態が選択されたことにより、タブページを自動的に切り替えて印刷設定ダイアログボックス１００に出力タブページを表示した場合、プリンタドライバ３３ｃはシフト出力に係る設定をグループ化するグループボックス２３０の矩形枠を太い線で表示することによって強調表示を行っている。
【００５４】
次に、プリンタドライバ３３ｃが行う設定状態表示領域５０の一覧表示部５１の表示更新処理について説明する。プリンタドライバ３３ｃは、印刷設定ダイアログボックス１００中の各設定項目に関して、ユーザによる設定変更を受け付けた回数を記録している。図６は、本発明の実施の形態１に係るプリンタドライバ３３ｃが一覧表示部５１の表示更新処理のために作成する管理テーブル３３ｄの一構成例を示す模式図である。管理テーブル３３ｄは、プリンタドライバ３３ｃにより作成及び更新されてＰＣ３０のハードディスク３３に記憶されている。
【００５５】
管理テーブル３３ｄは、”設定項目”と、この項目に対するユーザの設定変更を受け付けた”設定受付回数”とが対応付けられたテーブルである。また、管理テーブル３３ｄには、印刷設定ダイアログボックス１００の全タブページに設けられた全ての設定項目について設定受付回数がカウントしてある。なお、図６においては、管理テーブル３３ｄが設定項目について設定受付回数を記憶するのみの簡単な構成を示したが、これに限るものではなく、設定変更を受け付けた日時などを履歴として記憶する構成であってもよい。
【００５６】
プリンタドライバ３３ｃは、ユーザにより印刷設定ダイアログボックス１００をＰＣ３０の表示部３５に表示する指示を与えられた場合に、管理テーブル３３ｄを調べて設定受付回数が多い設定項目を上位から７つ選択する。次いで、この７つの設定項目の設定状態を印刷状態表示領域５０の一覧表示部５１に一覧表示する。このとき、７つの設定項目を設定受付回数が多いものから順に表示する構成であってもよく、予め定められた順序又は五十音順等の他の順序で表示する構成であってもよい。
【００５７】
また、プリンタドライバ３３ｃは、印刷設定ダイアログボックス１００のＯＫボタン１０５又は適用ボタン１０７がユーザにより操作された場合に、設定が変更された設定項目を調べて管理テーブル３３ｄを更新する。また、適用ボタン１０７が操作された場合には、印刷設定ダイアログボックス１００の表示はオフされないため、更新された管理テーブル３３ｄの設定受付回数を基にして、設定状態表示領域５０の一覧表示部５１の表示を更新する。
【００５８】
図７は、本発明の実施の形態１に係るプリンタドライバ３３ｃが行う一覧表示部の表示更新処理の手順を示すフローチャートである。プリンタドライバ３３ｃは、印刷設定ダイアログボックス１００のＯＫボタン１０５又は適用ボタン１０７が操作されたか否かを調べ（ステップＳ１）、両方共に操作されていない場合には（Ｓ１：ＮＯ）、操作されるまで待機する。ＯＫボタン１０５又は適用ボタン１０７が操作された場合には（Ｓ１：ＹＥＳ）、印刷設定ダイアログボックス１００の各タブページに設けられた設定項目にて設定が変更されたか否かを調べる（ステップＳ２）。
【００５９】
設定が変更された場合（Ｓ２：ＹＥＳ）、変更された設定項目に対応する管理テーブル３３ｄの設定受付回数をインクリメントして更新する（ステップＳ３）。次いで、管理テーブル３３ｄ中の全設定項目に関して設定受付回数を比較し、設定受付回数の多い上位７つの設定項目を調べて、上位の７つに変動が生じたか否かを調べる（ステップＳ４）。上位７つに変動が生じた場合（Ｓ４：ＹＥＳ）、更にステップＳ１にて適用ボタン１０７が操作されていたか否かを調べる（ステップＳ５）。適用ボタン１０７が操作されていた場合（Ｓ５：ＹＥＳ）、印刷設定ダイアログボックス１００の設定状態表示領域の表示を更新して（ステップＳ６）、処理を終了する。適用ボタン１０７が操作されていない場合（Ｓ５：ＮＯ）、即ちＯＫボタン１０５が操作されていた場合には、印刷設定ダイアログボックス１００の表示をオフして（ステップＳ８）、処理を終了する。
【００６０】
また、ステップＳ２にて設定が変更されていない場合（Ｓ２：ＮＯ）、又はステップＳ４にて上位７つに変動が生じていない場合には（Ｓ４：ＮＯ）、ステップＳ１にて適用ボタン１０７が操作されていたか否かを調べる（ステップＳ７）。適用ボタン１０７が操作されていた場合（Ｓ７：ＹＥＳ）、処理を終了する。適用ボタン１０７が操作されていない場合（Ｓ７：ＮＯ）、即ちＯＫボタン１０５が操作されていた場合には、印刷設定ダイアログボックス１００の表示をオフして（ステップＳ８）、処理を終了する。
【００６１】
以上の構成の印刷システム及びプリンタドライバ３３ｃにおいては、印刷設定ダイアログボックス１００に全てのタブページに共通の設定状態表示領域５０を設けて印刷装置１０の設定状態を表示する構成とすることにより、ユーザが設定状態の確認を容易に行うことができる。また、ユーザによる設定の受付頻度に応じて、設定状態表示領域５０の一覧表示部５１に表示する設定状態を変更する構成とすることにより、使用する可能性の高い設定項目の設定状態をユーザが確認することができる。また、設定状態表示領域５０の一覧表示部５１に表示された設定状態をユーザが選択することを可能とし、設定状態が選択されたときに対応するタブページを自動的に表示する構成とすることにより、設定項目が多数設けられている場合であってもユーザが所望の設定の変更を容易に行うことができる。このとき、選択された設定状態に係る設定項目を強調表示することによって、より効果的にユーザに設定項目を認識させることができる。
【００６２】
なお、本実施の形態においては、設定状態表示領域５０の一覧表示部５１に表示された設定状態が選択されたときにタブページの自動切り替えを行う構成としたが、これに限るものではなく、設定状態表示領域５０のアイコン５２又は５３が選択されたときにもタブページの自動切り替えを行う構成としてもよい。また、一覧表示部５１に設定状態を文字で表示しているが、これに限るものではなく、アイコンなどで表示する構成としてもよい。また、一覧表示部５１に７つの設定状態を表示する構成としたが、一例であってこれに限るものではなく、６つ以下又は８つ以上の設定状態を表示する構成としてもよい。また、図２〜図５に示した印刷設定ダイアログボックス１００の設定項目の配置及びデザイン等は、一例であってこれに限るものではない。
【００６３】
（実施の形態２）
実施の形態１に係るプリンタドライバ３３ｃは、印刷設定ダイアログボックス１００の設定状態表示領域５０に設けられた一覧表示部５１に表示する設定状態を設定の受付頻度に応じて変更する構成であるが、実施の形態２に係るプリンタドライバ３３ｃは、一覧表示部５１に表示する設定状態に係る設定項目をユーザが自由に選択することができる構成である。
【００６４】
図８は、本発明の実施の形態２に係るプリンタドライバ３３ｃに対する設定項目の選択方法を説明するための模式図である。また、例えば、印刷設定ダイアログボックス１００ａの用紙タブページに設けられた用紙の種類に係る設定項目をユーザが選択して、設定状態表示領域５０の一覧表示部５１に表示する設定状態に用紙種類の設定状態を追加する場合である。このとき、ユーザは用紙種類の設定項目をグループ化するグループボックス１５０の矩形枠内にマウスカーソルなどを合わせてドラッグ操作する。次いで、ドラッグした用紙種類の設定項目を設定状態表示領域５０内にドロップ操作する。これにより、プリンタドライバ３３ｃはドラッグ＆ドロップ操作された設定項目に係る設定状態を設定状態表示領域５０の一覧表示部５１に追加して表示する。
【００６５】
なお、設定状態表示領域５０の一覧表示部５１に表示可能な設定状態の数以上にユーザが設定項目を追加する操作を行った場合には、プリンタドライバ３３ｃはエラーメッセージを表示するか、又は一覧表示部５１に表示された設定状態から１つを選択して削除し、ユーザが追加の操作を行った設定項目に係る設定状態を表示するものとする。また、図示は省略するが、ユーザが設定状態表示領域５０の一覧表示部５１に表示された設定状態から１つを選択して削除（表示をオフ）する場合には、一覧表示部５１の所望の設定状態をドラッグ＆ドロップ操作により設定状態表示領域５０の外へ移動させることで行うことができる。
【００６６】
以上の構成の実施の形態２に係るプリンタドライバ３３ｃにおいては、設定状態表示領域５０の一覧表示部５１に設定状態を表示する設定項目をユーザが選択できる構成とすることにより、ユーザは印刷設定ダイアログ１００を自由にカスタマイズすることができ、使い勝手を向上することができる。また、ドラッグ＆ドロップの操作で設定項目の追加及び削除を行うことができる構成とすることにより、ユーザは簡単な操作で設定項目の追加及び削除を行うことができ、プリンタドライバ３３ｃの操作性を高めることができる。
【００６７】
なお、本実施の形態においては、設定状態表示領域５０の一覧表示部５１への設定項目の追加及び削除をドラッグ＆ドロップ操作により行う構成としたが、これに限るものではなく、他の操作で追加及び削除を行う構成としてもよい。
【００６８】
なお、実施の形態２に係る印刷システム及びプリンタドライバ３３ｃの構成は、実施の形態１に係る印刷システム及びプリンタドライバ３３ｃの構成と同様であるため、対応する箇所には同じ符号を付して説明を省略する。
【図面の簡単な説明】
【００６９】
【図１】本発明に係る設定受付方法を適用した印刷システムの構成を示すブロック図である。
【図２】本発明に係るプリンタドライバにより表示される印刷設定ダイアログの一構成例を示す模式図である。
【図３】本発明に係るプリンタドライバが行うタブページの自動切替機能を説明するための模式図である。
【図４】本発明に係るプリンタドライバが行うタブページの自動切替機能を説明するための模式図である。
【図５】本発明に係るプリンタドライバが行うタブページの自動切替機能を説明するための模式図である。
【図６】本発明の実施の形態１に係るプリンタドライバが一覧表示部の表示更新処理のために作成する管理テーブルの一構成例を示す模式図である。
【図７】本発明の実施の形態１に係るプリンタドライバが行う一覧表示部の表示更新処理の手順を示すフローチャートである。
【図８】本発明の実施の形態２に係るプリンタドライバに対する設定項目の選択方法を説明するための模式図である。
【符号の説明】
【００７０】
１０  印刷装置
３０  ＰＣ
３１  ＣＰＵ
３３  ハードディスク
３３ｃ  プリンタドライバ
３３ｄ  管理テーブル
３４  操作部
３５  表示部
５０  設定状態表示領域（共通表示領域）
５１  一覧表示部
５２、５３  アイコン
１００、１００ａ  印刷設定ダイアログボックス
１０１  ”用紙”タブ（切替手段）
１０２  ”レイアウト”タブ（切替手段）
１０３  ”印刷品質”タブ（切替手段）
１０４  ”出力”タブ（切替手段）
【図１】
2008234000.tif 000003
【図２】
2008234000.tif 000004
【図３】
2008234000.tif 000005
【図４】
2008234000.tif 000006
【図５】
2008234000.tif 000007
【図６】
2008234000.tif 000008
【図７】
2008234000.tif 000009
【図８】
2008234000.tif 000010